(57)【要約】【課題】  スタックのどの部位にフラッディングが生じやすいかを特定できるようにし、その部位のみにフラッディングを生じにくいセルを配置するようにした燃料電池スタックの提供。【解決手段】  （１）燃料電池スタック２３のセル積層方向における燃料電池発電時に総マイナスとなる側のみの端部とその近傍に設けられる第１のセル１０ａを、それ以外のスタック部位に設けられる第２のセル１０ｂより、フラッディングを生じにくい構造とした燃料電池スタック２３。（２）第１のセル１０ａは、第２のセル１０ｂより、ガス流路の断面積が大きい．（３）第１のセル１０ａは、第２のセル１０ｂより、セパレータのガス流路を形成する面の排水性が高い。（４）第１のセル１０ａは、第２のセル１０ｂより、接着剤層の厚さが厚い。【選択図】      図１
2007200674.tif 000002
【特許請求の範囲】
【請求項１】
燃料電池スタックのセル積層方向における燃料電池発電時に総マイナスとなる側のみの端部とその近傍に設けられる第１のセルを、それ以外のスタック部位に設けられる第２のセルより、フラッディングを生じにくい構造とした燃料電池スタック。
【請求項２】
前記第１のセルは、前記第２のセルより、ガス流路の断面積が大きい請求項１記載の燃料電池スタック。
【請求項３】
前記第１のセルは、前記第２のセルより、セパレータのガス流路を形成する面の排水性が高い請求項１記載の燃料電池スタック。
【請求項４】
前記第１のセルは、前記第２のセルより、接着剤層の厚さが厚い請求項１記載の燃料電池スタック。
【発明の詳細な説明】
【技術分野】
【０００１】
本発明は、燃料電池スタックに関する。
【背景技術】
【０００２】
燃料電池、たとえば固体高分子電解質型燃料電池は、膜−電極アッセンブリ（Membrane-Electrode Assembly 、ＭＥＡ）をセパレータで挟んだものから構成される。少なくとも１つの単位燃料電池からモジュールを構成し、モジュールを複数積層して（積層方向は任意）燃料電池スタックが構成される。
燃料電池スタックの発電運転において、セル積層方向に偏った水分量分布が発生し、水分過多となるスタック部位では、フラッディングにより電圧低下が生じる。
この対策として、特開２００４−１７９０６１号公報は、スタックのセル積層方向においてフラッディング（水分過多）が生じやすい箇所としてスタックのガス供給側端の反対側端を挙げ、スタックのガス供給側端の反対側端に、またはスタック両端部位に、「フラッディングが生じにくいセル」や、「フラッディングが生じた場合でも発電性能を高く維持できるセル」、「フラッディングに対して耐久性を有するセル」など、他のスタック部位のセルと性能の異なるセルを配置することを提案している。
【特許文献１】特開２００４−１７９０６１号公報
【発明の開示】
【発明が解決しようとする課題】
【０００３】
しかし、従来の構成には、つぎの問題がある。
スタックのどの部位にフラッディングが生じやすいかは分かっていなかった。特開２００４−１７９０６１号公報は、スタックのセル積層方向においてフラッディング（水分過多）が生じやすい箇所としてスタックのガス供給側端の反対側端を挙げているが、スタックのガス供給側端の反対側端が水分の溜まりがちな部位とは限らず、その場合には、スタックのガス供給側端の反対側端に水はけのよいセルを配置しても、フラッディング抑制にはほとんど効果がない。
スタックのどの部位（あるいはどちらのスタック端部）が水分の溜まりがちな部位かは実験で求めなければならないが、煩雑である。
スタックの何れの端部が水分の溜まりがちな部位となっても対応できるように、スタック両端に水はけのよいセルを配置すると、水はけのよいセルのコストが高いため、コスト的に問題となる。
【０００４】
本発明の目的は、スタックのどの部位に（スタックのどちらの端部に）フラッディングが生じやすいかを特定でき、その部位のみに（フラッディングが生じやすい部位がスタック片端の場合は、両端ではなく、その片端のみに）フラッディングを抑制するセルを配置するようにした燃料電池スタックを提供することにある。
【課題を解決するための手段】
【０００５】
上記目的を達成する本発明の燃料電池スタックは、燃料電池スタックのセル積層方向における燃料電池発電時に総マイナスとなる側のみの端部とその近傍に設けられる第１のセルを、それ以外のスタック部位に設けられる第２のセルより、フラッディングを生じにくい構造とした燃料電池スタックからなる。
フラッディングを生じにくい構造の一例として、第１のセルは、第２のセルより、ガス流路の断面積が大きい。
ック。
フラッディングを生じにくい構造のもう一つの例として、第１のセルは、第２のセルより、セパレータのガス流路を形成する面の排水性が高い。
フラッディングを生じにくい構造のもう一つの例として、第１のセルは、第２のセルより、接着剤層の厚さが厚い。
【発明の効果】
【０００６】
セル積層方向における、燃料電池スタックの水分の溜まりは、スタックのセル積層方向の一端部の１０枚程度のセル（顕著にあらわれるのは端部の５枚程度のセル）に見られ、スタックのセル積層方向の他端部とその近傍のセルはドライとなることが本発明者により確認された。
また、スタックの２つの端部のうちどちらの端部（とその近傍セル）に水が溜まるかは、スタックへのガスの供給方向と関係があるのではなく、スタックの総プラス、総マイナクと関係があり、スタックの総マイナス側の端部に水が溜まり、総プラス側がドライになることも、本発明者により発見された。
上記確認と発見のもとに、本発明の燃料電池スタックによれば、フラッディングが生じやすい部位をスタックの総マイナス側端として特定できる。また、その特定した部位のみのセルをフラッディングを生じにくい構造としたので、フラッディングが生じるかもしれない部位すべてとその近傍のセルをフラッディングを生じにくい構造としていた従来に比べて、フラッディングを生じにくい構造をもつセルの数を低減でき、コスト的に有利となる。たとえば、従来はスタック両端とその近傍のセルをフラッディングを生じにくいセルとしていたのに比べて、本発明では、総マイナス側端とその近傍のセルのみをフラッディングを生じにくいセルとすることができ、セル数を半減でき、コスト的に有利となる。
第１のセルが、第２のセルより、ガス流路の断面積が大きい場合は、圧損が小さくなって断面積が同じ場合に比べて多量のガスが流れようとしこの多量のガスに乗せて水分をセル内ガス流路から追い出すことができ、フラッディングを生じにくくすることができる。
第１のセルが、第２のセルより、セパレータのガス流路を形成する面の排水性が高い場合は、セル内ガス流路に溜まろうとする水分がセル内ガス流路から出ていき、フラッディングを生じにくくすることができる。排水性は、ガス流路面が親水性か、あるいは撥水性かの影響を受ける。親水性が高い場合は、水分が水玉となりにくく、その結果、水玉による流路の閉塞が起こりにくく、閉塞が起こらない分、排水性が良くなる。また、撥水性がよい場合は、水玉にはなりやすいが、水がガス流路面に付着しにくく、その結果、排水性が高くなる。親水性の割合や撥水性の割合は、ガス流路の断面積や、ガス流路の入口、出口からの距離などに応じて、調整することができる。
第１のセルが、第２のセルより、接着剤層の厚さが厚い場合は、セルのＭＥＡを挟んで対向するアノード側セパレータとカソード側セパレータ間の電気絶縁性が向上して、接着剤層を介しての微量電気短絡が少なくなり、その分、微量短絡による生成水も少なくなり、フラッディングを生じにくくすることができる。
【発明を実施するための最良の形態】
【０００７】
以下に、本発明の燃料電池スタックを、図１〜図１７を参照して説明する。
本発明の燃料電池スタック２３を構成する燃料電池（単セル）１０は、低温型燃料電池であり、たとえば、固体高分子電解質型燃料電池１０である。該燃料電池１０は、たとえば燃料電池自動車に搭載される。ただし、自動車以外に用いられてもよい。
図１５〜図１７に示すように、固体高分子電解質型燃料電池１０は、膜−電極アッセンブリ（ＭＥＡ：Membrane-Electrode Assembly ）とセパレータ１８との積層体からなる。
膜−電極アッセンブリは、イオン交換膜からなる電解質膜１１とこの電解質膜の一面に配置された触媒層からなる電極（アノード、燃料極）１４および電解質膜の他面に配置された触媒層からなる電極（カソード、空気極）１７とからなる。膜−電極アッセンブリとセパレータ１８との間には、アノード側、カソード側にそれぞれ拡散層１３、１６が設けられる。
【０００８】
セパレータ１８には、中央部に、アノード１４、カソード１７に燃料ガス（水素）および酸化ガス（酸素、通常は空気）を供給するための反応ガス流路２７、２８（燃料ガス流路２７、酸化ガス流路２８）と、その裏面に冷媒（通常、冷却水）を流すための冷媒流路２６が形成されている。
また、セパレータ１８には、外周部に、燃料ガス流路２７に燃料ガスを供給、排出するための燃料ガスマニホールド３０、酸化ガス流路２８に酸化ガスを供給、排出するための酸化ガスマニホールド３１、冷媒流路２６に冷媒を供給、排出するための冷媒マニホールド２９が形成されている。
【０００９】
膜−電極アッセンブリとセパレータ１８を重ねて単位燃料電池（「単セル」ともいう）１０を構成し、少なくとも１つのセル１０からモジュール１９（図示例は１セルで１モジュールが形成される場合を示す）を形成し、モジュール１９を１つ以上積層してセル積層体とし、セル積層体のセル積層方向両端に、ターミナル２０、インシュレータ２１、エンドプレート２２を配置し、エンドプレート２２をセル積層体の外側でセル積層方向に延びる締結部材（たとえば、テンションプレート２４）に、ボルト・ナット２５により固定し、セル積層体をセル積層方向に締め付け、燃料電池スタック２３を構成する。
【００１０】
流体流路２６、２７、２８、２９、３０、３１、３４をシールするために、ガス側のシール材３３および冷媒側のシール３２が設けられる。図示例では、ガス側シール材３３が接着剤（接着材はシール３３と同じため、接着剤の符号も３３とする）からなり、冷媒側シール材３２がゴムガスケットからなる場合を示している。ただし、ガス側シール材３３も冷媒側シール材３２も、接着剤とゴムガスケットの何れから構成されてもよい。
【００１１】
各セル１９の、アノード側１４では、水素を水素イオン（プロトン）と電子に電離する電離反応が行われ、水素イオンは電解質膜１１中をカソード側に移動し、カソード１７側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水を生成する反応が行われ、かくして発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【００１２】
各セル１９では、水生成反応が起こるカソード側で水が溜まりやすく、酸化ガス流路２８の下流側で水が溜まりやすいが、一部の水が膜１１を透過するためアノード側でも水が溜まる。
図１〜図４、図７〜図１４に示すように、通常発電時には、時間の経過とともに、セル１０を積層したスタック２３では、セル積層方向に、水分量分布が不均一になり、スタック２３のセル積層方向一端側の複数セル（端部セルとその近傍のセルとを含む複数セル）には、他のセルより多くの水分が溜まり、水分過剰状態（フラッディング）が生じやすい。スタック２３のセル積層方向他端側の複数セルはドライになりやすい。スタックのどちら側の端部にフラッディングが生じるかは、従来、スタックへのガスの供給側か排出側かと相関があるのではないかと考えられていたが、発明者等の試験では、スタックのどちら側の端部にフラッディングが生じるかは、スタックへのガスの供給側か排出側かとは無関係であることが判明している。すなわち、スタックのどちら側の端部にフラッディングが生じるかは、従来、わかっていなかったというのが実情である。
フラッディングが生じると反応ガスの触媒層電極への供給が阻害され、電圧低下が生じ、発電が阻害される（図１３）。それを解消するため、燃料電池スタック２３のどの部位にフラッディングが生じやすいか、フラッディングが生じるのはスタック２３のどの条件と相関関係があるのか、そしてフラッディングが生じにくくするにはスタック２３とセル１０をどのように構成すればよいのか、に係る開発が望まれている。
【００１３】
本発明者等は、スタックにおける水分量分布がスタックの総極性と相関があるという仮説を立て、その仮説が正しいか否かを試験で検討してみた。試験の結果は、その仮説は正しい、すなわち、スタックにおける水分量分布はスタックの総極性と相関があることを示した。
【００１４】
試験で判明したことを説明する。
まず、図１１に示すように、各スタックがｎ個（ｎは５０〜４５０の適宜の数字、たとえば、１８０〜２２０の範囲にある数字）セルを積層したスタックを２つ並列配置し、それを電気的に直列接続して、そこに各スタックの一端側から反応ガスを供給し、スタック他端でＵターンさせ、反応ガス供給側と同じ側のスタック端から反応ガスを排出させて、通常発電運転を行い、その時の水分量分布（図１２）とセルの電圧低下（図１３）を測定した。
図１２に示すように、各スタックともに、セル積層方向でマイナス側となる端部で水分量の増大が見られた。そして、図１３に示すように、水分量が増大しているセルで、電圧低下の急減が見られた。
【００１５】
図７〜図１０は単一スタック２３とその通常発電運転での水分量測定結果のデータを示している。
図７において、スタック２３の総マイナス側となる一端側から水素を導入し総プラス側である反対側端でＵターンさせて水素導入側と同じ側から未消費水素を排出した。スタックの水素導入側と同じ側の端部からエアを導入し反対側端でＵターンさせてエア導入側と同じ側から未消費エアを排出した。
スタック２３はＮ個（Ｎは４０〜３００の適宜の数字、Ｎ＜ｎ）のセルを積層したスタックで試験した。水分量分布は図８に示す通りである。スタック２３の総マイナス側端とその近傍セルで水分量が増大している。総プラス側はドライとなった。
【００１６】
スタック２３の総極性を図７の場合と逆にして運転すると、図９に示すようになり、その時の水分量測定結果のデータを図１０に示す。総極性を逆にするために、水素とエアの導入を図７の場合と逆転させた。その時の水分量分布は、図１０に示すように、図９で総マイナス側となるスタック端部で水分量が増大し、総プラス側のスタック端部でドライになった。
【００１７】
図１４は、種々の負荷状態下での、ガスの種々の状態での運転における、ｍ個（ｍは１０〜４０の適宜の数字、ｍ＜Ｎ）のセルを含むスタックのセル積層方向含水量分布の試験結果を示している。図中、（１）は加湿ガスの場合、（２）は無加湿ガスの場合、（３Ａ、３Ｂ）は加湿ガスの場合で、負荷取り出しなし（オープンサーキット）の場合（３Ａは第１回目、３Ｂは第２回目）、（４）は燃料ガス流路と酸化ガス流路に窒素を流した場合、をそれぞれ示す。図１４からわかることは、ガスを流してだけで負荷の取り出しがなくても水分量の不均一分布が生じること、加湿ガスの場合にのみ水分量の不均一分布が生じること、窒素を流して発電しなくても水分量の不均一分布が生じること、等である。
図７〜図１４により、水分量の増大、減少は、常に、スタックのセル積層方向端部とその近傍セルとの複数セルで起こること、および、スタック端部の水分量の増大、減少はスタックの総マイナス、総プラスと相関があることが判明する。
【００１８】
上記から、スタックの総極性およびその反転と水分量分布との間には、図１〜図４に示す相関があることがわかる。
燃料電池スタック２３の通常運転時には、図１、図２に示すように、スタック２３の総マイナス側の端部セルとその近傍の複数セルの含水量が、スタックの中央セルのほぼ均一含水量に比べて多く、かつ、端部セルに近づくほど含水量が多くなる。また、スタック２３の総プラス側の端部セルとその近傍の複数セルの含水量は、スタックの中央セルのほぼ均一含水量に比べて少なく（ドライとなり）、かつ、端部セルに近づくほど含水量が少なくなる。
燃料電池スタック２３の極性を、セル積層方向に、図３に示すように反転する（図１の場合に対して反転する）と、その時の水分量分布は、図４に示すように、極性反転前の水分分布不均一が均一化して水分量分布がフラットになる。すなわち、図２で水分量が多いところと図４で水分量が少ないところが対応して水分量が相殺し、図２で水分量が少ないところと図４で水分量が多いところが対応して水分量が相殺し、その結果、水分量分布がセル積層方向にフラット化する（スタックのセル積層方向の中央セルとほぼ同じ水分量となる）。
【００１９】
燃料電池スタック２３の水分量分布をセル積層に平坦化するには、燃料電池スタック２３のセル積層方向での水分量分布の偏りがあった場合に、セル積層方向の燃料電池スタック２３の総極性を反転させることが有効である。燃料電池スタック２３の総極性の反転は、燃料電池スタック２３のセル積層方向の端部のうち水分が多い側の端部（反転前に、スタック２３の総マイナス側であった端部）が総プラスになるように反転させる。
燃料電池スタック２３の総極性の反転処理は、「極性反転を一定時間だけ続ける処理」でもよいし、あるいは、「水分量分布が平坦化したか否かを判定し、平坦化したと判定されるまで極性反転を続ける処理」としてもよい。
【００２０】
単一スタックの場合も、直列複数スタックの場合も、燃料電池スタック２３の総極性の反転は、アノードガス（燃料ガス）とカソードガス（酸化ガス）を入替えることにより行うか、または外部電源または回生電圧の印加により行うことができる。図１〜図４は、燃料電池スタック２３の総極性の反転を、アノードガス（燃料ガス）とカソードガス（酸化ガス）を入替えて導入することにより行う場合を示している。
【００２１】
燃料電池スタック２３のセル積層方向の水分量の平坦化には、水分の溜まりやすい燃料電池スタック２３の総マイナス側のセル積層方向端部とその端部付近に、セル積層方向中央部より排水性の高いセルを配置することが望ましい。スタック２３の極性反転により水分量の平坦化をはかる場合は、極性反転による水分量の平坦化とセル排水性との両方で、燃料電池スタックのセル積層方向マイナス側端部の水分量の平坦化を促進させることとなる。ただし、セル排水性だけで燃料電池スタックのセル積層方向マイナス側端部の水分量の平坦化を促進させてもよい。
また、セルの排水性をよくするために他の部位のセルと構造を変えることはコストアップを伴うので、コストアップを抑えるために、排水性をよくしたセルの設置部位は、水分の溜まりやすい燃料電池スタック２３の総マイナス側のセル積層方向端部とその端部付近に限定することが望ましい。
【００２２】
上記より、本発明の燃料電池スタックでは、燃料電池スタック２３のセル積層方向における燃料電池の通常運転の発電時に総マイナスとなる側のみの端部とその近傍（端部セルを含む複数セル）に設けられる第１のセル１０ａを、それ以外のスタック部位に設けられる第２のセル１０ｂより、フラッディングを生じにくい構造とした。
スタック端部の水分量の平坦化のために、総極性を反転する場合に反転後一時的に総マイナス側となるスタック端部は、水分量がほぼ平坦化したら反転前の運転状態に戻すので、反転中に水分過剰となることはないので、反転後一時的に総マイナス側となるスタック端部には、フラッディングを生じにくい構造のセルは設ける必要はなく、フラッディングを生じにくい構造のセルを設けない。
【００２３】
フラッディングを生じにくい構造は、つぎの（ｉ）、（ii）、（iii)の何れか１つの構造をとることによって得られる。図５は第１のセル１０ａ（通常運転時のスタックの総マイナス側端部とその近傍にあるセルで、図１でハッチングを施した領域のセル）の一部の断面を示し、図６は第２のセル１０ｂ（図１でハッチングを施していない領域のセル）の一部の断面を示している。
（ｉ）第１のセル１０ａは、第２のセル１０ｂより、セパレータ１８のガス流路２７および／または２８の流路断面積が大きい。ガス流路断面積が大になると、圧損が小になって、第１のセル１０ａのガス流路２７および／または２８を流れるガス流量が増え、そのガス流れに乗せてより多くの水分をガスマニホールドに排出できる。図５の第１のセル１０ａのガス流路断面積をＡ１とし、図６の第２のセル１０ｂのガス流路断面積をＡ２とした場合、Ａ１＞Ａ２である。
また、ガス流路が短いと、圧損が小になって、第１のセル１０ａのガス流路２７および／または２８を流れるガス流量が増え、そのガス流れに乗せてより多くの水分をガスマニホールドに排出できる。したがって、第１のセル１０ａのガス流路断面積を相対的に大とするとともに、第１のセル１０ａのガス流路長を小にしてもよいし、あるいは、第１のセル１０ａのガス流路断面積を相対的に大とすることに代えて、第１のセル１０ａのガス流路長を小にしてもよい。
【００２４】
（ii）第１のセル１０ａは、第２のセル１０ｂより、セパレータ１８のガス流路２７および／または２８を形成する面の排水性が高い。ガス流路２７および／または２８を形成する面の排水性は、ガス流路２７、２８のコーティングにより、ガス流路２７および／または２８を形成する面の親水性、撥水性を変えることにより調整できる。
たとえば、ガス流路断面積が小で、水玉ができると水玉によりガス流路２７および／または２８が閉塞される可能性がある場合は、ガス流路２７および／または２８を形成する面の親水性をよくする。たとえば、ガス流路２７および／または２８を形成する面に親水基をもつ化合物（たとえば、樹脂）のコーティング層を形成する。親水性の度合いは、試薬による濡れ性検査で所定値以上のものとすることが望ましい。
ガス流路断面積が大で、水玉ができても水玉によってガス流路２７および／または２８が閉塞される可能性が無い場合は、ガス流路２７および／または２８を形成する面の撥水性をよくする方がよいこともある。撥水性をよくするには、ガス流路２７および／または２８を形成する面に疎水基をもつ化合物（たとえば、樹脂）のコーティング層を形成する。
【００２５】
（iii)  第１のセル１０ａは、第２のセル１０ｂより、接着剤３３層の厚さが厚い。セル１０のＭＥＡを挟んで対向するアノード側セパレータとカソード側セパレータ間の電気絶縁性が増大して、短絡電流が低減し、短絡電流の低減分、短絡電流による生成水も低減する。その結果、フラッディングがそれだけ生じにくくなる。図５の第１のセル１０ａの接着剤３３層の厚さをＴ１とし、図６の第２のセル１０ｂの接着剤３３層の厚さをＴ２とした場合、Ｔ１＞Ｔ２である。
【００２６】
つぎに、本発明の燃料電池スタックの作用・効果を説明する。
スタック２３のフラッディングが生じやすい部位にフラッディングを生じにくいセルを配置したので、スタック２３の全セルにフラッディングが生じにくくなり、水分量がスタック２３のセル積層方向に平坦化し、フラッディングによる電圧低下も生じにくくなる。また、スタックの総マイナス側端部とその近傍に水分の偏りが生じた場合にスタックの極性を反転させる場合は、極性反転による水分量分布の平坦化と、フラッディングを生じにくいセルの配置による水分量分布の平坦化とによって、極性反転による水分量分布の平坦化だけの場合に比べて、フラッディングがより一層抑制される。
【００２７】
また、スタック２３のフラッディングが生じやすい部位をスタック２３の総マイナス側端（端部セルを含む複数セル）として特定し、その特定した部位のみのセル（第１のセル）１０ａをフラッディングを生じにくい構造としたので、フラッディングが生じるかもしれない部位すべてとその近傍のセルをフラッディングを生じにくい構造としていた従来に比べて、フラッディングを生じにくい構造をもつセル（第１のセル）１０ａの数を低減でき、コスト的に有利となる。
たとえば、従来はスタック両端とその近傍のセルをフラッディングを生じにくいセルとしていたのに比べて、本発明では、通常の発電状態における総マイナス側となるスタック片端とその近傍のセルのみを（スタック２３のセル積層方向の水分量平坦化のためにスタック２３の極性反転を行う場合も、反転前の通常の発電状態における総マイナス側となるスタック片端とその近傍のセルのみを）、フラッディングを生じにくいセルとすることができ、フラッディングを生じにくい構造としたセルの数を半減でき、コスト的に有利となる。
【００２８】
第１のセル１０ａのセパレータ１８のガス流路２７、２８の流路断面積を、第２のセル１０ｂのセパレータ１８のガス流路２７、２８のガス流路の流路断面積より、大きくした場合は、第１のセル１０ａのガス流路２７、２８の圧損が小さくなって断面積が同じ場合に比べて多量のガスが流れようとし、この多量のガスに乗せて水分をセル内ガス流路から追い出すことができる。その結果、第１のセル１０ａをフラッディングを生じにくいセルとすることができる。
【００２９】
第１のセル１０ａのセパレータのガス流路を形成する面の排水性を、第２のセル１０ｂのセパレータのガス流路を形成する面の排水性より、高くした場合は、セル内ガス流路２７、２８に溜まろうとする水分がセル内ガス流路２７、２８から排出側ガスマニホールド３０、３１に出ていきやすくなり、セル内ガス流路２７、２８でのフラッディングを生じにくくすることができる。排水性は、ガス流路面の親水性の割合や撥水性の割合の影響を受けるので、ガス流路面の親水性、撥水性を、ガス流路の断面積や、ガス流路の入口、出口からの距離などに応じて、異ならせて適値に設定する。
【００３０】
第１のセル１０ａの接着剤３３層の厚さを、第２のセル１０ｂの接着剤３３層の厚さより、厚くした場合は、セル１０のＭＥＡを挟んで対向するアノード側セパレータとカソード側セパレータ間の電気絶縁性が向上して、接着剤３３層を介しての微量電気短絡が少なくなり、その分、微量短絡による生成水も少なくなり、フラッディングを生じにくくすることができる。
【図面の簡単な説明】
【００３１】
【図１】本発明の燃料電池スタックの通常発電時（極性反転前）の概略側面図である。
【図２】本発明の燃料電池スタックの通常発電時（極性反転前）の水分量分布図（含水量対セル番号）である。
【図３】本発明の燃料電池スタックの極性反転後の概略側面図である。
【図４】本発明の燃料電池スタックの極性反転後の水分量分布図（含水量対セル番号）である。
【図５】図１のスタックの総マイナス側の端部とその近傍のセルの一部の拡大断面図である。
【図６】図１のスタックの総マイナス側の端部とその近傍のセル以外のセルの一部の拡大断面図である。
【図７】極性と水分分布の関係を確認する試験で用いた、本発明の燃料電池スタックの通常発電時（極性反転前）の概略斜視図である。
【図８】極性と水分分布の関係を確認する試験で用いた、本発明の燃料電池スタックの通常発電時（極性反転前）の水分量分布図（含水量対セル番号）である。
【図９】極性と水分分布の関係を確認する試験で用いた、本発明の燃料電池スタックの極性反転後の概略斜視図である。
【図１０】極性と水分分布の関係を確認する試験で用いた、本発明の燃料電池スタックの極性反転後の水分量分布図（含水量対セル番号）である。
【図１１】極性と水分分布の関係を確認する試験で用いた、ｎセルスタックを２スタック並列配置して電気的に直列接続した場合の概略側面図である。
【図１２】図１１の２スタック装置の水分量分布図（含水量対セル番号）である。
【図１３】図１１の２スタック装置のセル電圧分布図（セル電圧対セル番号）である。
【図１４】ｍセルスタックのセル積層方向の水分量分布図（含水量対セル番号）である。
【図１５】本発明の燃料電池スタックの概略側面図である。
【図１６】本発明の燃料電池スタックの一部の拡大断面図である。
【図１７】本発明の燃料電池スタックのセルの概略正面図である。
【符号の説明】
【００３２】
１０  燃料電池
１０ａ  第１のセル
１０ｂ  第２のセル
１１  電解質膜
１３  拡散層
１４  電極（アノード、燃料極）
１６  拡散層
１７  電極（カソード、空気極）
１８  燃料電池セパレータ
１９  モジュール
２０  ターミナル
２１  インシュレータ
２２  エンドプレート
２３  燃料電池スタック
２４  締結部材（テンションプレート）
２５  ボルト
２６  冷媒流路
２７  燃料ガス流路
２８  酸化ガス流路
２９  冷媒マニホールド
３０  燃料ガスマニホールド
３１  酸化ガスマニホールド
３２  冷媒側シール材（たとえば、ガスケット）
３３  ガス側シール材（たとえば、接着剤）
【図１】
2007200674.tif 000003
【図２】
2007200674.tif 000004
【図３】
2007200674.tif 000005
【図４】
2007200674.tif 000006
【図５】
2007200674.tif 000007
【図６】
2007200674.tif 000008
【図７】
2007200674.tif 000009
【図８】
2007200674.tif 000010
【図９】
2007200674.tif 000011
【図１０】
2007200674.tif 000012
【図１１】
2007200674.tif 000013
【図１２】
2007200674.tif 000014
【図１３】
2007200674.tif 000015
【図１４】
2007200674.tif 000016
【図１５】
2007200674.tif 000017
【図１６】
2007200674.tif 000018
【図１７】
2007200674.tif 000019